(57)【要約】【課題】容量の大きい電源回路を用いなくても電圧の高い光源を接続できる光源点灯装置を提供する。【解決手段】光源１３を接続可能な光源点灯装置１２が、それぞれ第２の出力コンデンサ２１ａ，２１ｂを有する２個のＬＥＤ点灯回路１２ａ，１２ｂを備える。端子台２２ａにコネクタ２２ｂが接続され、出力端子台２３ａに出力コネクタ２３ｂが装着された状態（即ち、光源点灯装置１２に光源１３が接続された状態）では、ＬＥＤ点灯回路１２ａ，１２ｂの第２の出力コンデンサ２１ａ，２１ｂ同士が直列に接続されて形成される直列回路に光源１３が並列に接続され、光源１３を点灯するための直流電力が当該直列回路から光源１３に供給される。【選択図】図１
2014229537.tif 000002
【特許請求の範囲】
【請求項１】
光源を接続可能な光源点灯装置において、
それぞれコンデンサを有する複数の電源回路を備え、
前記光源が接続された状態では、前記複数の電源回路のコンデンサ同士が直列に接続されて形成される直列回路に前記光源が並列に接続され、前記光源を点灯するための直流電力が当該直列回路から前記光源に供給されることを特徴とする光源点灯装置。
【請求項２】
前記複数の電源回路のそれぞれが、前記コンデンサより小容量の他のコンデンサを有し、
前記光源が接続された状態では、前記複数の電源回路のそれぞれで前記他のコンデンサに前記コンデンサが並列に接続され、前記コンデンサを充電するための直流電力が前記他のコンデンサから前記コンデンサに供給されることを特徴とする請求項１の光源点灯装置。
【請求項３】
前記複数の電源回路のうち少なくともいずれかの電源回路が、トランスを有し、
前記光源が接続された状態では、前記少なくともいずれかの電源回路で前記コンデンサを充電するための電力が前記トランスを介して前記コンデンサに供給されることを特徴とする請求項１の光源点灯装置。
【請求項４】
前記複数の電源回路の電源容量が略等しい請求項１から３のいずれかの光源点灯装置と、
前記複数の電源回路のコンデンサ同士が直列に接続されて形成される直列回路に並列に接続される、前記複数の電源回路のそれぞれの電源容量より消費電力が大きい光源と
を備えることを特徴とする照明装置。
【請求項５】
請求項１から３のいずれかの光源点灯装置と、
前記複数の電源回路のコンデンサ同士が直列に接続されて形成される直列回路に並列に接続される光源と、
前記直列回路で前記複数の電源回路のコンデンサ間に直列に接続される他の光源と
を備えることを特徴とする照明装置。
【発明の詳細な説明】
【技術分野】
【０００１】
本発明は、光源点灯装置及び照明装置に関するものである。本発明は、例えば、ＬＥＤ等の固体発光素子を光源とし、これを点灯する光源点灯装置と、この光源点灯装置を備えた照明装置に関するものである。
【背景技術】
【０００２】
従来、ＬＥＤを点灯する装置がある（例えば、特許文献１〜３参照）。
【先行技術文献】
【特許文献】
【０００３】
【特許文献１】特開２０１２−１９１１６９号公報
【特許文献２】特開２０１０−２６３７１６号公報
【特許文献３】特開２０１２−２４４７３７号公報
【発明の概要】
【発明が解決しようとする課題】
【０００４】
特許文献１の装置は、例えば電圧が４５〜９５Ｖ、電流が３５０ｍＡのＬＥＤ光源を１灯あるいは２灯点灯できるようにした装置である。この装置は、直流電源に接続した定電流制御形電源回路（コンバータ）からＬＥＤ光源に直流出力電流を供給するものであり、ＬＥＤ光源を１灯接続する場合あるいは２灯接続する場合のいずれにも対応できるような一体的な直流電源装置を備えている。しかしながら、このような一体的な構成では、直流電源装置はＬＥＤ光源２灯を点灯できる容量が必要なので、構成するコイル部品等の電子部品が大きくなり、直流電源装置全体の形状が大形化しやすいという課題がある。
【０００５】
特許文献１では、直流電源部を共通にして複数（２台）のコンバータを動作させて複数のＬＥＤ光源を点灯させる可能性についても言及している。しかし、このような構成の装置では、直流電源に対して複数（２台）のコンバータを使用すれば、合計で３台の構成要素となってしまい、直流電源装置全体としてプリント基板や他の電子部品等の標準化が困難になるという課題があった。
【０００６】
また、定電流的特性を備えたコンバータでＬＥＤ光源を点灯する装置では、通電中にＬＥＤ光源を外すとコンバータの出力電圧が上昇して再装着時にＬＥＤ光源に過大な電流が流れることが知られている。これを防止することを目的として、特許文献２の装置では、コンバータの出力に接続される出力平滑コンデンサをＬＥＤ光源が外されたときには充電しないように出力側のコネクタを構成している。しかしながら、特許文献２では、電源本体が単体（１台）の場合について開示されており、電源本体が複数の場合については言及されてない。
【０００７】
さらに、特許文献３の装置は、ＬＥＤ光源に定電流を供給する降圧チョッパ回路に備えた出力平滑コンデンサと交流電源から形成される直流電源の平滑コンデンサの容量が大きい場合について、電源がオンされているときのＬＥＤ光源の脱着時、及び、ＬＥＤ光源が接続されているときの電源のオフ時におけるＬＥＤ光源への過大電流を防止することを目的としている。しかし、ＬＥＤ光源を接続した状態で短時間内に電源（交流電源）がオン・オフされることを考慮するのであれば、直流電源の平滑コンデンサと降圧チョッパ回路の出力コンデンサの２箇所の電圧減少・上昇に配慮する必要があり、回路設計と検証に時間を要する等の課題があった。
【０００８】
本発明は、例えば、容量の大きい電源回路を用いなくても電圧の高い光源を接続できる光源点灯装置を提供することを目的とする。
【課題を解決するための手段】
【０００９】
本発明の一の態様に係る光源点灯装置は、
光源を接続可能な光源点灯装置であり、
それぞれコンデンサを有する複数の電源回路を備え、
前記光源が接続された状態では、前記複数の電源回路のコンデンサ同士が直列に接続されて形成される直列回路に前記光源が並列に接続され、前記光源を点灯するための直流電力が当該直列回路から前記光源に供給される。
【発明の効果】
【００１０】
本発明の一の態様によれば、複数の電源回路のコンデンサ同士が直列に接続されて形成される直列回路に光源が並列に接続され、光源を点灯するための直流電力が当該直列回路から光源に供給されるため、容量の大きい電源回路を用いなくても電圧の高い光源を接続できる。
【図面の簡単な説明】
【００１１】
【図１】実施の形態１に係る照明装置の構成を示す回路図。
【図２】実施の形態１に係る照明装置の直流電源部の構成を示す回路図。
【図３】実施の形態２に係る照明装置の構成を示す回路図。
【図４】実施の形態３に係る照明装置の構成を示す回路図。
【発明を実施するための形態】
【００１２】
以下、本発明の実施の形態について、図を用いて説明する。
【００１３】
実施の形態１．
図１は、本実施の形態に係る照明装置１０の構成を示す回路図である。
【００１４】
図１において、照明装置１０は、交流電源１１（例えば、商用電源）に接続される。照明装置１０は、光源点灯装置１２と、光源１３とを備える。
【００１５】
光源点灯装置１２は、ＬＥＤ点灯回路１２ａ，１２ｂと、端子台２２ａと、出力端子台２３ａとを備える。
【００１６】
ＬＥＤ点灯回路１２ａ，１２ｂは、ＬＥＤからなる光源１３に直流電流を供給し、光源１３を点灯させる。
【００１７】
ＬＥＤ点灯回路１２ａは、直流電源部１６ａ、スイッチング素子１７ａ（例えば、ＭＯＳＦＥＴ）、絶縁トランス１８ａ、ダイオード１９ａ、第１の出力コンデンサ２０ａ、第２の出力コンデンサ２１ａを有する。
【００１８】
直流電源部１６ａは、交流電源１１により供給される交流電圧から直流電圧を生成する。スイッチング素子１７ａ、絶縁トランス１８ａ、ダイオード１９ａ、第１の出力コンデンサ２０ａは、フライバックコンバータを構成する。このフライバックコンバータは、直流電源部１６ａにより生成される直流電圧から、スイッチング素子１７ａのスイッチング動作により光源１３に供給する所定の直流電流を生成する。即ち、フライバックコンバータは、定電流的特性の出力電流を発生させる。スイッチング素子１７ａは、制御回路（図示していない）により高周波で駆動制御される。絶縁トランス１８ａは、スイッチング素子１７ａがオンのときにエネルギーを蓄積し、スイッチング素子１７ａがオフのときにエネルギーを解放する。ダイオード１９ａは、絶縁トランス１８ａの出力を整流して第１の出力コンデンサ２０ａと第２の出力コンデンサ２１ａ及び光源１３に直流出力を与える。第１の出力コンデンサ２０ａは、コンバータの動作に必要な小容量のコンデンサである。第２の出力コンデンサ２１ａは、第１の出力コンデンサ２０ａの５倍以上の静電容量を有し、光源１３に供給する直流電流をリップルの少ない安定した電流とするコンデンサである。
【００１９】
ＬＥＤ点灯回路１２ｂは、ＬＥＤ点灯回路１２ａと同様に、直流電源部１６ｂ、スイッチング素子１７ｂ（例えば、ＭＯＳＦＥＴ）、絶縁トランス１８ｂ、ダイオード１９ｂ、第１の出力コンデンサ２０ｂ、第２の出力コンデンサ２１ｂを有する。
【００２０】
端子台２２ａは、ＬＥＤ点灯回路１２ａの第２の出力コンデンサ２１ａの低電位側が接続された端子と、ＬＥＤ点灯回路１２ｂの第２の出力コンデンサ２１ｂの高電位側が接続された端子とを有する。これら２つの端子間は、着脱自在のコネクタ２２ｂにより短絡させることができる。端子台２２ａにコネクタ２２ｂが装着されて端子台２２ａの２つの端子間が短絡することにより、第２の出力コンデンサ２１ａ，２１ｂが直列に接続された状態となり、第２の出力コンデンサ２１ａ，２１ｂの直列回路が形成される。
【００２１】
出力端子台２３ａは、ＬＥＤ点灯回路１２ａの第１の出力コンデンサ２０ａの高電位側が接続された端子と、ＬＥＤ点灯回路１２ａの第２の出力コンデンサ２１ａの高電位側が接続された端子とを有する。これら２つの端子間は、光源１３が接続された着脱自在の出力コネクタ２３ｂにより短絡させることができる。出力端子台２３ａは、さらに、ＬＥＤ点灯回路１２ｂの第１の出力コンデンサ２０ｂの低電位側が接続された端子と、ＬＥＤ点灯回路１２ｂの第２の出力コンデンサ２１ｂの低電位側が接続された端子とを有する。これら２つの端子間も、出力コネクタ２３ｂにより短絡させることができる。出力端子台２３ａに出力コネクタ２３ｂが装着されて出力端子台２３ａの高電位側の２つの端子間が短絡することにより、第１の出力コンデンサ２０ａに第２の出力コンデンサ２１ａが並列に接続された状態となる。また、出力端子台２３ａに出力コネクタ２３ｂが装着されて出力端子台２３ａの低電位側の２つの端子間が短絡することにより、第１の出力コンデンサ２０ｂに第２の出力コンデンサ２１ｂが並列に接続された状態となる。さらに、出力端子台２３ａに出力コネクタ２３ｂが装着されて高電位側の２つの端子と光源１３の高電位側が接続され、低電位側の２つの端子と光源１３の低電位側が接続されることにより、第２の出力コンデンサ２１ａ，２１ｂの直列回路に光源１３が並列に接続された状態となる。
【００２２】
光源１３は、例えば複数個のＬＥＤが直列及び／又は並列に接続され、３５０ｍＡの電流が流れたときにその端子電圧が約１００Ｖになるような一体化した丸管ランプを２本直列に接続したものであるとする。なお、光源１３は、丸管ランプに限らず、さらに大きな電流が流れたときにその端子電圧の合計が２００Ｖ以上になるもの等、端子電圧が高く、従来であれば出力容量が大きいコンバータを使用することが要求されるような負荷であるとする。
【００２３】
ここで、ＬＥＤ点灯回路１２ａ，１２ｂは、ほぼ同じ出力容量でそれぞれ１００Ｗの負荷まで点灯できるものとする。そして、光源１３の定格電力が１８０Ｗであったとする。
【００２４】
端子台２２ａにコネクタ２２ｂが、出力端子台２３ａに出力コネクタ２３ｂが接続され、交流電源１１が投入されると、２個のＬＥＤ点灯回路１２ａ，１２ｂは直列に接続されて光源１３に直流電流を供給し、光源１３を点灯させる。もし交流電源１１の通電中に出力コネクタ２３ｂが外れたり、接触不良を起こしたりすると、コンバータは負荷のない状態となるが、内部に備えた保護回路（図示していない）の作用によりその動作を停止する。このとき、コンバータは定電流制御の動作を行うため、動作が停止するまでの間、短時間ではあるが出力電圧が上昇してしまう。ところが、本実施の形態では、出力コネクタ２３ｂが外れたり、接触不良を起こしたりすると、第２の出力コンデンサ２１ａ，２１ｂが第１の出力コンデンサ２０ａ，２０ｂに接続されず、第２の出力コンデンサ２１ａ，２１ｂには高い電圧が印加・充電されないので、出力コネクタ２３ｂを再装着したときには小容量の第１の出力コンデンサ２０ａ，２０ｂの充電電荷の放出だけで済み、光源１３にストレスを与えない。
【００２５】
また、ＬＥＤ点灯回路１２ａ，１２ｂは、光源１３に必要な電力より小さな電力を発生させればよいので、ＬＥＤ点灯回路１２ａ，１２ｂに使用する個々の部品を小さくすることができ、例えば１台の大容量の電源で構成するときよりも背が低い絶縁トランス１８ａ，１８ｂを選定可能になり、結果として光源点灯装置１２の薄形化、小形化が実現できる。
【００２６】
なお、ＬＥＤ点灯回路１２ａ，１２ｂに使用するコンバータとしては、出力を絶縁できるものであれば、フライバックコンバータ以外の構成を採用してもよい。
【００２７】
本実施の形態では、２個のＬＥＤ点灯回路１２ａ，１２ｂの出力を直列に接続するので、一方のＬＥＤ点灯回路１２ａのコンバータが絶縁トランス１８ａを使用するものであれば、他方のＬＥＤ点灯回路１２ｂのコンバータは絶縁トランス１８ｂを使用しないものでもよい。このように絶縁トランス１８ａを使用した絶縁タイプと絶縁トランス１８ｂを使用しない非絶縁タイプとの２種類のＬＥＤ点灯回路１２ａ，１２ｂを光源点灯装置１２が備えている場合、比較的小電力な光源１３を点灯する際には、２個のＬＥＤ点灯回路１２ａ，１２ｂのうちどちらか一方のみから光源１３に給電するようにしてもよい。このとき、光源１３や照明装置１０の要求仕様が絶縁を必要とするなら絶縁タイプを、絶縁を必要としないならば非絶縁タイプを選定すれば、用途に適したＬＥＤ点灯回路を使用することができる。
【００２８】
ＬＥＤ点灯回路１２ａ，１２ｂが２個とも絶縁トランス１８ａ，１８ｂを使用した同じ構成であれば、電子部品の共用化が図れる。一方、ＬＥＤ点灯回路１２ａ，１２ｂのうち片方（例えば、ＬＥＤ点灯回路１２ｂ）に非絶縁のコンバータを使用するのであれば、その片方の側で部品の小形化が図れる。
【００２９】
本実施の形態において、端子台２２ａ及び出力端子台２３ａは、それぞれコネクタ２２ｂ及び出力コネクタ２３ｂによって相互に接続される端子を有するだけでなく、上記のようにＬＥＤ点灯回路１２ａ，１２ｂの片側のみの使用にも適用できるような端子を有していてもよい。その場合、電圧の低い光源１３には１台、電圧の高い光源１３には直列に接続した２台のＬＥＤ点灯回路を用いることで、電圧の高い光源１３を点灯可能な小形の照明装置１０を提供することができる。
【００３０】
出力端子台２３ａの構成としては、光源１３に出力を供給する出力コネクタ２３ｂが接続されないときに第２の出力コンデンサ２１ａ，２１ｂへの給電接続がされないようなものであれば、図１に示したものとは異なる構成を採用してもよい。
【００３１】
以上のように、本実施の形態では、光源１３を接続可能な光源点灯装置１２が、それぞれ第２の出力コンデンサ２１ａ，２１ｂ（コンデンサの例）を有する２個のＬＥＤ点灯回路１２ａ，１２ｂ（複数の電源回路の例）を備える。端子台２２ａにコネクタ２２ｂが接続され、出力端子台２３ａに出力コネクタ２３ｂが装着された状態（即ち、光源点灯装置１２に光源１３が接続された状態）では、ＬＥＤ点灯回路１２ａ，１２ｂの第２の出力コンデンサ２１ａ，２１ｂ同士が直列に接続されて形成される直列回路に光源１３が並列に接続され、光源１３を点灯するための直流電力が当該直列回路から光源１３に供給される。このように、２個のＬＥＤ点灯回路１２ａ，１２ｂを用いて光源１３を点灯させることができるため、容量の大きいＬＥＤ点灯回路を用いなくても電圧の高い光源１３を接続できる。例えば、２個のＬＥＤ点灯回路１２ａ，１２ｂとして、構成が同じ（即ち、電源容量が略等しい）ものを使用するとき、光源１３として、これら２個のＬＥＤ点灯回路１２ａ，１２ｂのそれぞれの電源容量より消費電力が大きいものを使用することができる。また、大きな負荷の光源１３を分割した２台のＬＥＤ点灯回路１２ａ，１２ｂを直列に接続して点灯するので光源点灯装置１２を小形に、特に薄形形状のものにすることができる。
【００３２】
なお、図１には、複数の電源回路として、２個のＬＥＤ点灯回路１２ａ，１２ｂを用いる例を示しているが、ｎ個（ｎ＞２）のＬＥＤ点灯回路を用いても構わない。その場合、例えば、ｎ個のＬＥＤ点灯回路の構成については、図１に示したＬＥＤ点灯回路１２ａ，１２ｂの構成と同様とする。ｉ番目（ｉ＝１，２，・・・，ｎ−１）のＬＥＤ点灯回路とｉ＋１番目のＬＥＤ点灯回路は、端子台２２ａと同様の構成の端子台を介して互いに接続可能である。また、１番目のＬＥＤ点灯回路とｎ番目のＬＥＤ点灯回路には、出力端子台２３ａを介して光源１３が接続可能である。端子台２２ａと同様の構成の端子台に、コネクタ２２ｂと同様の構成のコネクタが接続され、出力端子台２３ａに出力コネクタ２３ｂが装着された状態では、ｎ個のＬＥＤ点灯回路のコンデンサ同士が直列に接続されて形成される直列回路に光源１３が並列に接続され、光源１３を点灯するための直流電力が当該直列回路から光源１３に供給される。このように、３個以上のＬＥＤ点灯回路を用いて光源１３を点灯させることができるため、容量の大きいＬＥＤ点灯回路を用いなくても、さらに電圧の高い光源１３を接続できる。
【００３３】
また、本実施の形態では、ＬＥＤ点灯回路１２ａ，１２ｂのそれぞれが、第２の出力コンデンサ２１ａ，２１ｂより小容量の第１の出力コンデンサ２０ａ，２０ｂ（他のコンデンサの例）を有する。端子台２２ａにコネクタ２２ｂが接続され、出力端子台２３ａに出力コネクタ２３ｂが装着された状態（即ち、光源点灯装置１２に光源１３が接続された状態）では、ＬＥＤ点灯回路１２ａ，１２ｂのそれぞれで第１の出力コンデンサ２０ａ，２０ｂに第２の出力コンデンサ２１ａ，２１ｂが並列に接続され、第２の出力コンデンサ２１ａ，２１ｂを充電するための直流電力が第１の出力コンデンサ２０ａ，２０ｂから第２の出力コンデンサ２１ａ，２１ｂに供給される。このため、光源１３が外れたときに第２の出力コンデンサ２１ａ，２１ｂへの高い電圧での充電を防ぎ、再接続時の光源１３へのストレスを軽減できる。
【００３４】
また、本実施の形態では、前述したように、２個のＬＥＤ点灯回路１２ａ，１２ｂのうち少なくともいずれかのＬＥＤ点灯回路が、トランスを有する。光源点灯装置１２に光源１３が接続された状態では、上記少なくともいずれかのＬＥＤ点灯回路でコンデンサ（第２の出力コンデンサ２１ａ，２１ｂのうち少なくともいずれか）を充電するための電力がトランスを介してコンデンサに供給される。
【００３５】
図２は、直流電源部１６ａの構成を示す回路図である。
【００３６】
図２において、直流電源部１６ａは、全波整流回路３１、直流電圧生成部３２、サイリスタ３３、抵抗３４、制御回路３５を備える。
【００３７】
全波整流回路３１は、交流電源１１から供給される交流電圧を整流して脈流電圧を出力する。直流電圧生成部３２は、コンデンサ（図示していない）を有し、全波整流回路３１からの脈流電圧をコンデンサにより平滑して直流電圧を出力する。なお、直流電圧生成部３２を昇圧コンバータ又は昇降圧コンバータとして構成し、交流電源１１の種類（電圧）に関わらず使用できるようにしてもよい。サイリスタ３３と抵抗３４は、全波整流回路３１と直流電圧生成部３２の間に、並列に接続される（図２では、低電位側に接続されているが、高電位側に接続されてもよい）。制御回路３５は、交流電源１１がオンになると、一定期間（直流電圧生成部３２のコンデンサの充電が終わる程度の時間）サイリスタ３３をオフにして抵抗３４により突入電流を抑制し、その後、サイリスタ３３をオンにしてサイリスタ３３を導通させる。これにより、直流電源部１６ａにおいて大きな突入電流を防止することができる。
【００３８】
直流電源部１６ｂの構成については、直流電源部１６ａの構成と同様である。
【００３９】
実施の形態２．
本実施の形態について、主に実施の形態１との差異を説明する。
【００４０】
図３は、本実施の形態に係る照明装置１０の構成を示す回路図である。
【００４１】
図３において、照明装置１０は、図１に示した光源１３に代えて、光源１４，１５を備える。
【００４２】
光源点灯装置１２は、図１に示した端子台２２ａに代えて、出力端子台２４ａを備える。
【００４３】
ＬＥＤ点灯回路１２ａは、さらに、検出抵抗２５ａを有する。検出抵抗２５ａは、第２の出力コンデンサ２１ａの端子電圧を検出する。検出された電圧は、検出抵抗２５ａの端子間から適宜電圧信号として取り出すことができる。
【００４４】
ＬＥＤ点灯回路１２ｂは、ＬＥＤ点灯回路１２ａと同様に、検出抵抗２５ｂを有する。
【００４５】
出力端子台２３ａは、ＬＥＤ点灯回路１２ａの第１の出力コンデンサ２０ａの高電位側が接続された端子と、ＬＥＤ点灯回路１２ａの第２の出力コンデンサ２１ａの高電位側が接続された端子とを有する。これら２つの端子間は、光源１５が接続された着脱自在の出力コネクタ２３ｂにより短絡させることができ、その場合、第１の出力コンデンサ２０ａに第２の出力コンデンサ２１ａが並列に接続された状態となる。出力端子台２３ａは、ＬＥＤ点灯回路１２ａの第２の出力コンデンサ２１ａの高電位側が接続された端子とともに、ＬＥＤ点灯回路１２ｂの第２の出力コンデンサ２１ｂの低電位側が接続された端子を有する。これら２つの端子に光源１５の両端が接続された場合、第２の出力コンデンサ２１ａ，２１ｂの直列回路に光源１５が並列に接続された状態となる。
【００４６】
出力端子台２４ａは、ＬＥＤ点灯回路１２ｂの第１の出力コンデンサ２０ｂの高電位側が接続された端子と、ＬＥＤ点灯回路１２ｂの第２の出力コンデンサ２１ｂの高電位側が接続された端子とを有する。これら２つの端子間は、光源１４（他の光源の例）が接続された着脱自在の出力コネクタ２４ｂにより短絡させることができ、その場合、第１の出力コンデンサ２０ｂに第２の出力コンデンサ２１ｂが並列に接続された状態となる。出力端子台２４ａは、ＬＥＤ点灯回路１２ｂの第２の出力コンデンサ２１ｂの高電位側が接続された端子とともに、ＬＥＤ点灯回路１２ａの第２の出力コンデンサ２１ａの低電位側が接続された端子を有する。これら２つの端子に光源１４の両端が接続された場合、第２の出力コンデンサ２１ａ，２１ｂの直列回路で第２の出力コンデンサ２１ａ，２１ｂ間に光源１４が直列に接続された状態となる。
【００４７】
光源１４，１５は、例えば、それぞれ３５０ｍＡの電流が流れたときにその端子電圧が約１００Ｖになるような一体化した丸管ランプであるとする。
【００４８】
出力端子台２３ａに出力コネクタ２３ｂが、出力端子台２４ａに出力コネクタ２４ｂが接続され、交流電源１１が投入されると、２個のＬＥＤ点灯回路１２ａ，１２ｂは直列に接続されて光源１４，１５に直流電流を供給し、光源１４，１５を点灯させる。もし交流電源１１の通電中に出力コネクタ２３ｂ，２４ｂが外れたり、接触不良を起こしたりしても、第２の出力コンデンサ２１ａ，２１ｂには高い電圧が印加・充電されず、光源１４，１５のストレスを防ぐことができる。また、光源１４，１５の点灯中は、それぞれの出力端子台２３ａ，２４ａに印加される電圧が分圧されるので出力端子台２３ａ，２４ａや出力コネクタ２３ｂ，２４ｂの電圧ストレスが軽減できる。本実施の形態は、一体化した構造のランプカバーに収納された、例えば丸管ランプを２灯点灯する照明器具に適用するときに有用である。
【００４９】
実施の形態３．
本実施の形態について、主に実施の形態１との差異を説明する。
【００５０】
図４は、本実施の形態に係る照明装置１０の構成を示す回路図である。
【００５１】
図４において、照明装置１０は、さらに、ダイオード２８，２９を備える。ダイオード２８，２９は、出力コネクタ２３ｂに直列に接続されている。出力端子台２３ａに出力コネクタ２３ｂが装着された状態では、ダイオード２８のアノード端がＬＥＤ点灯回路１２ａの第１の出力コンデンサ２０ａの高電位側に接続され、ダイオード２８のカソード端がＬＥＤ点灯回路１２ａの第２の出力コンデンサ２１ａの高電位側に接続される。また、ダイオード２９のカソード端がＬＥＤ点灯回路１２ｂの第１の出力コンデンサ２０ｂの低電位側に接続され、ダイオード２９のアノード端がＬＥＤ点灯回路１２ｂの第２の出力コンデンサ２１ｂの低電位側に接続される。これにより、もし交流電源１１が瞬時停電したような場合で、ＬＥＤ点灯回路１２ａ，１２ｂが動作停止したときに、容量の大きな第２の出力コンデンサ２１ａ，２１ｂに蓄積された電荷が容量の小さな第１の出力コンデンサ２０ａ，２０ｂへ逆充電されることを阻止することができる。
【００５２】
ＬＥＤ点灯回路１２ａは、さらに、検出抵抗２６ａ，２７ａを有する。第１の出力コンデンサ２０ａの端子電圧を検出抵抗２６ａ，２７ａの接続点から取り出してスイッチング素子１７ａの制御回路（図示していない）を動作させることにより、ＬＥＤ点灯回路１２ａの動作を電源の不安定な状態でも早く検出でき、さらに検出抵抗２６ａ，２７ａにより速やかに第１の出力コンデンサ２０ａの電荷を放出することができる。
【００５３】
ＬＥＤ点灯回路１２ｂは、ＬＥＤ点灯回路１２ａと同様に、検出抵抗２６ｂ，２７ｂを有する。
【００５４】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００５５】
１０  照明装置、１１  交流電源、１２  光源点灯装置、１２ａ，１２ｂ  ＬＥＤ点灯回路、１３，１４，１５  光源、１６ａ，１６ｂ  直流電源部、１７ａ，１７ｂ  スイッチング素子、１８ａ，１８ｂ  絶縁トランス、１９ａ，１９ｂ  ダイオード、２０ａ，２０ｂ  第１の出力コンデンサ、２１ａ，２１ｂ  第２の出力コンデンサ、２２ａ  端子台、２２ｂ  コネクタ、２３ａ，２４ａ  出力端子台、２３ｂ，２４ｂ  出力コネクタ、２５ａ，２５ｂ，２６ａ，２６ｂ，２７ａ，２７ｂ  検出抵抗、２８，２９  ダイオード、３１  全波整流回路、３２  直流電圧生成部、３３  サイリスタ、３４  抵抗、３５  制御回路。
【図１】
2014229537.tif 000003
【図２】
2014229537.tif 000004
【図３】
2014229537.tif 000005
【図４】
2014229537.tif 000006